【事件の表示】
　特許第２９９４６６２号「空気調和機」の請求項１に係る特許に対する特許異議の申立てについて、次のとおり決定する。
【結　論】
　訂正を認める。
　特許第２９９４６６２号の請求項１に係る特許を維持する。
【理　由】
１．手続の経緯
　本件特許第２９９４６６２号の請求項１に係る発明についての出願は、平成１年８月２８日に特許出願され、平成１１年１０月２２日にその発明について特許権の設定登録がなされ、その後、特許異議申立人　シャープ株式会社　より特許異議の申立てがなされ、取消理由通知がなされ、その指定期間内である平成１３年４月１０日に訂正請求がなされたものである。
　　　　　
２．訂正の適否についての判断
（１）訂正の内容
　特許権者が求めている訂正の内容は、以下のとおりである。
訂正事項ａ：
　特許請求の範囲の請求項１における「前記上部吸込口の風向板」を、「前記本体の上部前部に形成された上部吸込口の風向板」と訂正する。
訂正事項ｂ：
　特許請求の範囲の請求項１における「前記エアーフィルターの上端を所定の位置に導くリブを設け、」を、「下部の面が前記風向板より下方に位置して前記エアーフィルターの上端を所定の位置に導くリブを設け、」と訂正する。
訂正事項ｃ：
　願書に添付した明細書（以下、「特許明細書」という。）の「（ニ）課題を解決するための手段」の段落のうち、「前記上部吸込口の風向板」を「前記本体の上部前部に形成された上部吸込口の風向板」と訂正し、「前記エアーフィルターの上端を所定の位置に導くリブを設け、」を「下部の面が前記風向板より下方に位置して前記エアーフィルターの上端を所定の位置に導くリブを設け、」と訂正する。
　　　　
（２）訂正の目的の適否、新規事項の有無、及び拡張・変更の存否
　訂正事項ａは、上部吸込口が形成された位置を明確にするものであって、明りょうでない記載の釈明を目的とするものである。
　訂正事項ｂは、リブを設けた状態を限定するものであって、特許請求の範囲の減縮を目的とするものである。
　そして、特許明細書の特許請求の範囲には、「本体の上部前部に形成された上部吸込口」と記載され、また特許明細書の第５頁第１４行〜第６頁第２行には、「（22）は外装体（５）の上部前方に形成された吸込口、（23）はこの吸込口に横方向に設けられた風向板、（24）はこの下部の面が前記風向板（23）より下方に位置するように設けられた複数のリブで、このリブはエアーフィルター（10）の挿入方向に延びてエアーフィルター（10）の先端（10A）を所定位置に導くためのガイドとなっており、エアーフィルター（10）の先端（10A）がリブに沿って所定の位置に導かれるようになっている。」と記載され、さらに【第１図】及び【第３図】の記載からみて、訂正事項ａ及びｂは、特許明細書に記載した事項の範囲内のものであって、新規事項の追加に該当せず、また実質上特許請求の範囲を拡張し又は変更するものではない。
　訂正事項ｃは、特許請求の範囲を訂正することに伴う訂正であって、明りょうでない記載の釈明を目的とし、新規事項の追加に該当せず、また実質上特許請求の範囲を拡張し又は変更するものではない。
　　　　　
（３）むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　　　　　
３．特許異議の申立てについての判断
（１）本件発明
　本件請求項１に係る発明（以下、「本件発明」という。）は、訂正明細書の特許請求の範囲の請求項１に記載された次のとおりのものである。
「【請求項１】　本体の上部前部に形成された上部吸込口と、前部吸込口が形成されると共に本体の前面の開口を覆うように本体に開閉自在に取り付けられる吸込パネルと、前記上部吸込口及び前記前部吸込口に設けられた風向板と、前記上部吸込口及び前記前部吸込口から吸込まれた室内空気と熱交換を行う熱交換器と、前記上部吸込口及び前記前部吸込口と前記熱交換器との間に収納されるエアーフィルターとを備えた空気調和機において、前記エアーフィルターを前記吸込パネルを開いた状態で本体の前面側から着脱すると共に、前記本体の上部前部に形成された上部吸込口の風向板の下面側には前記エアーフィルターの挿入方向に延びると共に下部の面が前記風向板より下方に位置して前記エアーフィルターの上端を所定の位置に導くリブを設け、本体の前面の開口の下端部には前記エアーフィルターの下端を保持する固定部を設けたことを特徴とする空気調和機。」
　　　　　
（２）甲各号証記載の発明
　取消理由において刊行物１として引用した、本件特許の出願前に頒布された刊行物である特開平１−１６９２４６号公報〔特許異議申立人が提出した甲第２号証〕には、
「本発明は空気調和機特にフィルターの着脱に関するものである。」（第１頁左下欄１４行〜１５行）こと、
「第１５図及び第１６図において、本体１の正面上部にパネル２を設け、該パネル２はそれに設けられた回転軸2aを中心にして、手動で開閉自在となっている。…（略）…５は本体１及びパネル２の上部に設けられた空気の吸込口である。６は本体１内の熱交換器８前面に配設されたフィルターであり、吸込口５から吸い込まれた空気中のほこりやごみを該フィルター６により取り除く。７は本体１内部に設けられたクロスフローファンであり、該クロスフローファン７により、吸込まれた空気をフィルター６及び熱交換器８を通過させ、冷風又は温風を本体１下部に設けられた吹出口９より吹出す。」（第１頁右下欄１２行〜第２頁左上欄７行）こと、
「以上の様に構成された従来例の空気調和機のフィルター取り外しについて、以下その動作を説明する。まずパネル２の側面下部2bを手で持って、前方へ引張って、該パネル２を開ける。そしてほこりやごみの付着したフィルター６の取手6aを指で持って下方へ引張って取り外す。フィルター６を清掃後、フィルター案内板13にフィルター６を挿入し、取付ける。」（第２頁左上欄１６行〜右上欄３行）こと、
「第１図、第２図において、本体１の正面上部にパネル14を設け、該パネル14はそれに設けられた回転軸14aを中心にして、開閉自在となっている。…（略）…５は本体１及びパネル14の上部に設けられた空気の吸込口であり、該吸込口５から吸い込まれた空気中のほこりやごみを前記フィルター17により取り除く。７は本体１内部に設けられたクロスフローファンであり、該クロスフローファン７により、吸込まれた空気をフィルター17及び熱交換器８を通過させ、冷風又は温風を本体１下部に設けられた吹出口９より吹出す。」（第２頁右下欄９行〜第３頁左上欄７行）こと、
「パネル14が開いた状態で、フィルター17をフィルター案内板13に挿入すると、フィルターの爪17bがフィルター用カムの爪21aに係合し、保持される。」（第４頁左上欄１６行〜１９行）こと、
が図面とともに記載されている。
　同じく取消理由において刊行物２として引用した、本件特許の出願前に頒布された刊行物である実願昭５９−１６６０３６号（実開昭６１−８１５１８号）のマイクロフィルム〔特許異議申立人が提出した甲第１号証〕には、
「10は室内ユニット１の前面に取付けた前パネルであり、この前パネル10は上記熱交換器２に対向した前面吸込みグリル11及び上部吸込みグリル12を有し、さらに上記下部ケ−シング６の吹出穴８に連通する吹出口13を備えている。また、14は上記前面吸込みグリル11の下部に位置して前パネル10に形成したフィルタ挿脱用開口部で、この開口部14から板状の除塵用フィルタ15が前パネル10の内側、即ち吸込みグリル11，12と熱交換器２との間に挿入され、吸込みグリル11，12から吸込まれる空気中の塵埃を除去するようになっている。」（明細書第５頁第１５行〜第６頁第６行）こと、
「保持用受部16に対向する前パネル10内の隅部には、上部吸込みグリル12からの吸込み空気の通過を邪魔しないフィルタ案内リブ17が複数一体に形成されており、さらに上記フィルタ挿脱開口部14に対応する上記ドレン受部７の前面にはフィルタ挿入時の案内となる案内用受部18が下部ケ−シング６と一体に形成されている。」（同第６頁第１１行〜第１７行）こと、
「次に除塵用フィルタ15を室内ユニット１に挿着する場合について述べる。この場合は、除塵用フィルタ15の差込み端側を前パネル10の開口部14に挿入し、フィルタ全体を第２図において上方へ押込む。これにより除塵用フィルタ15は案内用受部18によって熱交換器２の前面を摺動し、その差込み先端が案内リブ17に当接すると、案内リブ17の傾斜に沿って保持用受部16側へ案内され、そして除塵用フィルタ15の最終挿入段階では、その上端部は保持用受部16と案内リブ17によって位置決め保持される」（同第７頁第１２行〜第８頁第２行）こと、が図面とともに記載されている。
　甲第３号証「実願昭５５−４２７３号（実開昭５６−１０６８２２号）のマイクロフィルム」には、「空気調和機のフィルタ取付装置において、前面パネル１に彎曲したフィルタ保持溝を有するフィルタガイド２、２を設け、両端部に突起3a、3aを設けた弾性を有するフィルタ３を彎曲したフィルタガイド２、２に沿って案内支持させること」が記載されている。
　甲第４号証「実願昭５０−１１７２６９号（実開昭５２−３０６５６号）のマイクロフィルム」には、図面の記載を参酌すると、「吸込グリル(2)の後方に下方からエアーフィルター(9)を挿入して取付けるようにした空気調和機のエアーフィルター取付装置において、吸込グリル(2)のパネル(10)の内壁面にエアーフィルター(9)を挿入案内する案内レール(11)(11)を上下方向に渡って取付けること、吸込グリル(2)は、多数の横桟（風向板）を間隔を置いて配した縦桟で連結保持したもの」が記載されている。
　甲第５号証「ＳＨＡＲＰ　サービスマニュアル　６３年度エアコン〔No.３〕」（昭和63年４月発売）には、シャープ製エアコンの室内ユニット（ＡＹ−２５８Ａ）に関する分解方法が写真とともに記載され、また室内ユニット（ＡＹ−２５８Ａ）を構成するパーツが斜視図で示されている。該記載からみて「本体の上部前部に吸込口を長孔に形成するととも、長孔に平行な桟（横桟；風向板）と長孔に直交する桟（縦桟）とで格子状に桟を形成して吸込口に施したエアコンの室内ユニット」が記載されている。
　甲第５号証の１「ＳＨＡＲＰ　シャープルームエアコン　ＡＹ−２５８(A)(G)(B)(D)(H)  形名EH-2A8 取扱説明書」には、甲第５号証に記載された室内ユニット（ＡＹ−２５８Ａ）に関し、その取り扱い方法が記載され、第２５頁〜第２６頁の「エアーフィルターのお手入れ」において「エアーフィルターをパネルを開いた状態で本体の前面側から着脱すること」が記載されている。
　甲第６号証「実願昭５４−１７２５７６号（実開昭５６−９０６１４号）のマイクロフィルム」には、「空気調和機において、フロントパネル２と一体に成形した補強リブ14をフロントパネル２内壁の空気吸込口7A部に複数並列して突設するとともに該補強リブ14の内端面をフィルター６前面部形状と合致する形状とし、補強リブ内端面をフィルター着脱時の案内面とすることにより、空気吸込口7A部分を強度的に強いものにできるとともにフィルター６の着脱をスムーズに行うことができること」が記載されている。
　　　　　
（３）対比
　そこで、本件発明と甲第２号証記載のものとを対比すると、甲第２号証記載の「空気の吸込口５」は本件発明における「本体の上部前部に形成された上部吸込口」に、甲第２号証記載の「熱交換器８」は本件発明における「熱交換器」に、甲第２号証記載の「フィルター６、17」は本件発明における「エアーフィルター」に、甲第２号証記載の「フィルターの爪17bに係合するフィルター用カムの爪21a」は本件発明における「エアーフィルターを保持する固定部」にそれぞれ相当する。また甲第２号証の第２図、第１６図に記載された空気の吸込口５に配した断面方形の部材は風向板と認められる。してみると、上記両者は、
「本体の上部前部に形成された上部吸込口と、本体の前面の開口を覆うように本体に開閉自在に取り付けられるパネルと、前記吸込口に設けられた風向板と、前記吸込口から吸込まれた室内空気と熱交換を行う熱交換器と、前記吸込口と前記熱交換器との間に収納されたエアーフィルターとを備えた空気調和機において、前記エアーフィルターを前記パネルを開いた状態で本体の前面側から着脱すると共に、本体の前面の開口にはエアーフィルターを保持する固定部を設けた空気調和機」で一致し、下記相違点（１）乃至（３）で相違している。
相違点（１）
　本件発明では、本体の前面の開口を覆うパネルは、前部吸込口が形成されると共に前部吸込口に風向板を設けた吸込パネルであるのに対し、甲第２号証記載のものでは、本体の前面の開口を覆うパネルに吸込口が形成されたとの記載はなく、また当然に風向板を設けたとの記載もない点。
相違点（２）
　本件発明では、本体の上部前部に形成された上部吸込口の風向板の下面側にはエアーフィルターの挿入方向に延びると共に下部の面が風向板より下方に位置してエアーフィルターの上端を所定の位置に導くリブを設けたのに対し、甲第２号証記載のものでは、エアーフィルターの上端を所定の位置に導くリブを配したとの記載はない点。
相違点（３）
　本件発明では、本体の前面の開口の下端部にはエアーフィルターの下端を保持する固定部を設けたのに対し、甲第２号証記載のものでは、この構成を具備しない点。
　　　　　
（４）当審の判断
　そこで、先ず相違点（２）について検討する。
　甲第１号証には、明細書第７頁第１２行〜第８頁第２行に「除塵用フィルタ15を室内ユニット１に挿着する場合について述べる。……フィルタ全体を第２図において上方に押込む。これにより除塵用フィルタ15は案内用受部18によって熱交換器２の前面を摺動し、その差込み先端が案内リブ17に当接すると、案内リブ17の傾斜に沿って保持用受部16側へ案内され、そして除塵用フィルタ15の最終挿入段階では、その上端部は保持用受部16と案内リブ17によって位置決め保持される」と記載され、甲第１号証には除塵用フィルタ（エアーフィルター）の先端を案内する「案内リブ17」に関する技術が開示されている。しかしながら、甲第１号証における「案内リブ17」は、前パネル10に一体に形成されたものであって、本件特許明細書に記載の「リブ９」に相当するものと認められる（なお、訂正明細書の第２頁第２９行〜第３頁第１行には、「（９）はこの吸込グリルの裏側に設けられ、補強用でもあり、かつまたエアーフィルターのガイドとなるリブ」と記載されている。）。してみると、甲第１号証には、相違点（２）における本件発明の構成である「本体の上部前部に形成された上部吸込口の風向板の下面側にはエアーフィルターの挿入方向に延びると共に下部の面が風向板より下方に位置してエアーフィルターの上端を所定の位置に導くリブを設けた」点が記載されているとは認められない。そして、本件発明は、「空気調和機で本体の上面前部に吸込口が設けられたものでは、この吸込口に横方向に延びた風向板(23)が複数設けられているもの〔第５図参照〕があり、この風向板(23)にエアーフィルター(10)の上部先端(10A)が当たったり、風向板(23)の間に上部先端(23A)がはまり込んだりして、エアーフィルター(10)を取付けにくいことがあるという欠点があった。この発明は、エアーフィルターを取り付け易い空気調和機を提供する」ことを課題とするものであるが、甲第１号証記載のものでは、上記本件発明における課題と同様の課題を解決することを目的として上記「案内リブ17」を設けたものとは認めることができない。したがって、相違点（２）における本件発明の構成が、甲第２号証記載のものに甲第１号証記載の除塵用フィルタ（エアーフィルター）の先端を案内する「案内リブ17」に関する技術を適用して容易であるとはいえない。
　そして、甲第３号証には、「空気調和機のフィルタ取付装置において、前面パネルに彎曲したフィルタガイドを設け、弾性を有するフィルタを彎曲したフィルタガイドに沿って案内支持させること」が記載されているが、相違点（２）における本件発明の構成について記載も、示唆もないものであり、また甲第４号証には、「吸込グリルの後方に下方からエアーフィルターを挿入して取付けるようにした空気調和機のエアーフィルター取付装置において、吸込グリルのパネルの内壁面にエアーフィルターを挿入案内する案内レールを上下方向に渡って取付けること、吸込グリルは、多数の横桟を間隔を置いて配した縦桟で連結保持したもの」が記載されているが、甲第４号証記載の空気調和機のエアーフィルター取付装置は、エアーフィルターを挿入案内する案内レールを取付けるものであり、しかもエアーフィルターと吸込グリルを構成する横桟及び縦桟との関係（特に、エアーフィルターの上端と吸込グリルを構成する横桟及び縦桟との関係）について一切記載がないことから、甲第４号証にも、相違点（２）における本件発明の構成について記載も、示唆もないものである。また甲第５号証及び甲第５号証の１には、エアコンの室内ユニットにおいて、本体の上部前部に風向板を設けた上部吸込口を形成することは記載されているが、エアーフィルターの上端と風向板との関係について一切記載がなく、甲第５号証及び甲第５号証の１にも、相違点（２）における本件発明の構成について記載も、示唆もないものである。さらに甲第６号証記載の「補強リブ14」は、リブ内端面をフィルター着脱時の案内面とするものではあるが、フロントパネル２と一体に成形されたものであって空気吸込口7A部分を強度的に強いものにできるものであることから、該「補強リブ14」は、甲第１号証記載の「案内リブ17」に相当するものと認められる。したがって、甲第６号証にも相違点（２）における本件発明の構成が記載されていない。
　してみると、甲第３号証乃至甲第６号証にも、相違点（２）における本件発明の構成が記載されていない。
　よって、相違点（２）における本件発明の構成を採用することが、甲第１号証乃至甲第６号証の記載から容易であるとはいえない。
　したがって、相違点（１）及び（３）を検討するまでもなく、本件発明が、甲第１号証乃至甲第６号証記載の発明に基づいて当業者が容易に発明をすることができたものと認めることができない。
　　　　　　　
（５）むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は、拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年６月１３日（２００１．６．１３）
【訂正の要旨】
訂正事項（ａ）
　特許請求の範囲の請求項１における「前記上部吸込口の風向板」を、「前記本体の上部前部に形成された上部吸込口の風向板」と訂正する。
訂正事項（ｂ）
　特許請求の範囲の請求項１における「前記エアーフィルターの上端を所定の位置に導くリブを設け、」を、「下部の面が前記風向板より下方に位置して前記エアーフィルターの上端を所定の位置に導くリブを設け、」と訂正する。
訂正事項（ｃ）
　願書に添付した明細書の「（ニ）課題を解決するための手段」の段落のうち、「前記上部吸込口の風向板」を「前記本体の上部前部に形成された上部吸込口の風向板」と訂正し、「前記エアーフィルターの上端を所定の位置に導くリブを設け、」を「下部の面が前記風向板より下方に位置して前記エアーフィルターの上端を所定の位置に導くリブを設け、」と訂正する。
（５４）【発明の名称】
空気調和機
（５７）【特許請求の範囲】
　【請求項１】　本体の上部前部に形成された上部吸込口と、前部吸込口が形成されると共に本体の前面の開口を覆うように本体に開閉自在に取り付けられる吸込パネルと、前記上部吸込口及び前記前部吸込口に設けられた風向板と、前記上部吸込口及び前記前部吸込口から吸込まれた室内空気と熱交換を行う熱交換器と、前記上部吸込口及び前記前部吸込口と前記熱交換器との間に収納されるエアーフィルターとを備えた空気調和機において、前記エアーフィルターを前記吸込パネルを開いた状態で本体の前面側から着脱すると共に、前記
本体の上部前部に形成された
下部の面が前記風向板より下方に位置して
【発明の詳細な説明】
（イ）産業上の利用分野
　この発明は、エアーフィルターを備えた空気調和機に関するものである。
（ロ）従来の技術
　エアーフィルターを備えた空気調和機の従来技術としては実公昭５９−２６１６５号公報に記載されているように、前面および上面に吸込口が形成された吸込グリルを、吸込開口に取付けた空気調和機がある。また、フィルターの備えられた空気調和機本体の上面前部に吸込口が設けられているのもある。
（ハ）発明が解決しようとする課題
　前述した空気調和機で本体の上面前部に吸込口が設けられたものでは、この吸込口に横方向に延びた風向板（２３）が複数設けられているもの〔第５図参照〕があり、この風向板（２３）にエアーフィルター（１０）の上部先端（１０Ａ）が当たったり、風向板（２３）の間に上部先端（１０Ａ）がはまり込んだりして、エアーフィルター（１０）を取付けにくいことがあるという欠点があった。
　この発明は、エアーフィルターを取付け易い空気調和機を提供するものである。
（ニ）課題を解決するための手段
　この発明は前述した課題を解決するために、本体の上部前部に形成された上部吸込口と、前部吸込口が形成されると共に本体の前面の開口を覆うように本体に開閉自在に取り付けられる吸込パネルと、上部吸込口及び前部吸込口に設けられた風向板と、上部吸込口及び前部吸込口から吸込まれた室内空気と熱交換を行う熱交換器と、上部吸込口及び前部吸込口と熱交換器との間に収納されるエアーフィルターとを備えた空気調和機において、エアーフィルターを吸込パネルを開いた状態で本体の前面側から着脱すると共に、
本体の上部前部に形成された
下部の面が前記風向板より下方に位置して
（ホ）作用
　この発明による空気調和機においては、風向板より下方に、その下面が位置するようにリブが設けられているので、エアーフィルターを取付ける際に、エアーフィルターを上部先端がリブに先に当たるため、エアーフィルターの上部先端が風向板に当たったり、風向板の間にはまったりしにくく、エアーフィルターが取付けられ易い。かつまた、前記リブはエアーフィルターの挿入方向に延びている、つまり、エアーフィルターの所定の位置方向へ延びているため、エアーフィルターの上部先端が前記リブに沿って所定の位置に導かれ、エアーフィルターが取付けられ易い。
（へ）実施例
　この発明の一実施例を図面と共に説明する。第１図は本発明による空気調和機の断面図、第２図は本発明による空気調和機の外観斜視図、第３図は本発明による空気調和機の本体上部の吸込口付近の説明図、第４図は本発明による空気調和機の第１図に示すＡ円拡大説明図である。これらの図において、（１）はそれぞれ上部、下部の熱交換器（２）（３）および送風機（４）が収納された空気調和機本体、（５）は外装体、（６）は複数の風向板（７）およびこの風向板（７）の間に形成された吸込口〔隙間〕（８）を備えた吸込グリル、（９）はこの吸込グリルの裏側に設けられ、補強用でもあり、かつまたエアーフィルターのガイドとなるリブ、（１０）はこの吸込グリル（６）の裏側の空気調和機本体（１）に着脱自在に取付けられたエアーフィルター、（１１）はこのエアーフィルターと熱交換器（２）との間に設けられた空気清浄器、（１２）は熱交換器（３）の下方に配置されたドレンパンである。（１３）は吹出口で、その奥側に、縦羽根（１４）が、その手前側には水平羽根（１５）が各々配置されている。この２枚の水平羽根（１５）は各々駆動用モーター〔図示せず〕によって動かされ、運転時には、２枚の水平羽根（１５）が平行状態になるまで動いて〔図示せず〕吹出口（１３）からの吹出空気をスムーズに室内に吹出すようになっている。（１６）はエアーフィルター（１０）の枠、（１７）はこの枠に設けられた摘みで、この摘みは、前記吸込グリル（６）が空気調和機本体（１）に取付けられた状態のとき吸込口（８）に位置するように設けられている。（１８）（１９）（２０）（２１）は空気調和機本体（１）に設けられたエアーフィルター（１０）の取付片である。（２２）は外装体（５）の上部前方に形成された吸込口、（２３）はこの吸込口に横方向に設けられた風向板、（２４）はこの下部の面が前記風向板（２３）より下方に位置するように設けられた複数のリブで、このリブはエアーフィルター（１０）の挿入方向に延びてエアーフィルター（１０）の先端（１０Ａ）を所定位置に導くためのガイドとなっており、エアーフィルター（１０）の先端（１０Ａ）がリブに沿って所定の位置に導かれるようになっている。（２５）はエアーフィルター（１０）の枠（１６）に少し突出するように形成された突出部で、この突出部はリブ（９）に接して、ビビリ音の発生を防止している。また、前記吸込グリル（６）は図示しないヒンジにより空気調和機本体（１）に取付けられており、グリル（６）の下部が本体（１）の前方側に開くようになっている。
　このように構成されたこの発明の空気調和機においては、吸込グリル（６）が空気調和機本体（１）に取付けられた状態でエアーフィルター（１０）の摘み（１７）が風向板（７）と風向板（７）との隙間〔吸込口（８）〕に位置する、つまり、はまりあうこととなり〔第４図参照〕、吸込グリル（６）と空気調和機本体（１）の間に前記摘み（１７）の収納空間を特別に設ける必要がないため、この発明では空気調和機の大型化を招きにくいものである。
　また、この空気調和機では、吸込グリル（６）の下端が空気調和機本体（１）の前方に開かれると、エアーフィルター（１０）が露出する。使用者はエアーフィルター（１０）の摘み（１７）を上に引き上げると下部の取付片（２１）からエアーフィルター（１０）の下端が外れるため、使用者はエアーフィルター（１０）を空気調和機本体（１）から取外すことができる。
　更にまた、エアーフィルター（１０）を空気調和機本体（１）に取付けるときには、使用者はエアーフィルター（１０）の摘み（１７）をつまんでエアーフィルター（１０）を所定の位置に取付けようとすると、エアーフィルター（１０）の上部の先端（１０Ａ）が、まず最初に吸込グリル（６）のリブ（９）に当たって外装体（５）のリブ（２４）の方向に導かれ、次にエアーフィルター（１０）の先端（１０Ａ）が外装体（５）のリブ（２４）の下部の面に沿って所定の位置に導かれる。そして、使用者は前記摘み（１７）を取付片（２１）より、上に持上げてエアーフィルター（１０）の下部を取付片（２１）に取付ける。
　このように、この発明による空気調和機では、第５図に示すようにエアーフィルター（１０）の先端（１０Ａ）が風向板（２３）に当ったり、風向板（２３）の間にはまり込んだりして、エアーフィルター（１０）を所定の位置に取付けにくいというようなことがあった従来の空気調和機に比べて、このような取付けにくさが極力避けられ、スムーズにエアーフィルター（１０）を空気調和機本体（１）の所定の位置に取付けられるものである。
（ト）発明の効果
　以上説明したように、本発明によれば、吸込パネルを開いた状態で本体の前面の開口部からエアーフィルターを着脱するものであり、エアーフィルターを取付けるときにエアーフィルターの上部が上部吸込口のリブに当たり、このリブに沿ってスムーズに所定の位置にエアーフィルターが導かれ、所定の位置に導かれたエアーフィルターの下端を本体の前面開口の下部の固定部で保持するため、エアーフィルターを非常に取付けやすい空気調和機を提供することができる。
【図面の簡単な説明】
　第１図は本発明による空気調和機の断面図、第２図は本発明による空気調和機の外観斜視図、第３図は本発明による空気調和機の本体上部の吸込口付近の説明図、第４図は本発明による空気調和機の第１図に示すＡ円拡大説明図、第５図は従来の空気調和機における本体上部の吸込口付近の拡大説明図である。
（１）…空気調和機本体、（２）（３）…熱交換器、（１０）…エアーフィルター、（２２）…吸込口、（２３）…風向板、（２４）…リブ。